(57)【要約】【課題】構築物をデザインするときの自由度を高めつつ、カバーの着脱を容易に行うことが可能な照明装置を提供する。【解決手段】カバー取付機構は、ユニット取付機構及びカバーに設けられた係止機構と、カバーの周縁部に設けられた第１磁石部材とを有する。カバー取付機構は、カバーをユニット取付機構に対して第１の位置に配置し、且つ第１の磁性部分と第２の磁性部分とを磁力により結合させ、カバーを照明ユニットに対する平行方向にスライドさせて第２の位置に配置することで、第２の位置でカバーをユニット取付機構に対して固定する。【選択図】図２
2014007015.tif 000002
【特許請求の範囲】
【請求項１】
周辺を所定厚さの板状のパネルで覆われた構築物の表面に装着される照明装置であって、
板状の部材であって、照明光を発光する照明ユニットと、
前記照明ユニットを保持し、第１の磁性部分を有する枠部材と、前記枠部材を介して前記照明ユニットを前記構築物の表面に固定するための固定部材とを含むユニット取付機構と、
板状の部材であって、前記構築物の表面に固定された前記照明ユニットを覆うように配置されるカバーと、
前記ユニット取付機構及び前記カバーに設けられた係止機構と、前記カバーの周縁部に設けられた第２の磁性部分とを有し、前記カバーを前記ユニット取付機構に対して第１の位置に配置し、且つ前記第１の磁性部分と前記第２の磁性部分とを磁力により結合させ、前記カバーを前記照明ユニットに対する平行方向にスライドさせて第２の位置に配置することで、前記第２の位置で前記カバーを前記ユニット取付機構に対して固定するカバー取付機構と、
を有することを特徴とする照明装置。
【請求項２】
前記係止機構は、第１の係止機構及び第２の係止機構を有し、
前記第１の係止機構は、
前記ユニット取付機構及び前記カバーの一方に設けられ、柱状の第１の基部の先端に前記第１の基部の径より大きい径を有する第１の頭部を有する第１の突起部と、
他方に設けられ、凹部を有する第１の被係止部と、を有し、
前記凹部と前記第１の基部とが前記平行方向へのスライドにより嵌合することで、前記平行方向と直交する方向への着脱を制限し、
前記第２の係止機構は、
前記ユニット取付機構及び前記カバーの一方に設けられ、柱状の第２の基部の先端に前記第２の基部の径より大きい径を有する第２の頭部を有する第２の突起部と、
他方に設けられ、前記第２の頭部の径より大きい第１の孔部、及び前記第１の孔部と連通し、前記第２の頭部の径よりも小さい第２の孔部を有する第２の被係止部と、を有し、
前記第１の位置において、前記第２の頭部は前記第１の孔部の位置にあり、前記平行方向のスライドにより、前記第２の位置において、前記第２の頭部が前記第２の孔部の位置にあることで、前記平行方向と直交する方向への着脱を制限することを特徴とする請求項１記載の照明装置。
【請求項３】
前記第１の突起部は、前記ユニット取付機構の一の枠部材の両端に位置する２つの隅それぞれに設けられており、
前記第２の突起部は、前記一の枠部材に対向する位置の枠部材の両端に位置する２つの隅それぞれに設けられており、
前記第１の被係止部は、前記カバーの一の周縁部の両端に位置する２つの角縁それぞれに設けられており、
前記第２の被係止部は、前記一の周縁部に対向する位置の周縁部の両端に位置する２つの角縁それぞれに設けられていることを特徴とする請求項２記載の照明装置。
【請求項４】
前記第１の磁性部分及び前記第２の磁性部分の一方は、他方の磁性部分と磁力で結合する磁石部材であることを特徴とする請求項１から３のいずれか一つに記載の照明装置。
【請求項５】
前記磁石部材は、前記枠部材又は前記周縁部の一辺に対して複数配置されていることを特徴とする請求項４記載の照明装置。
【請求項６】
前記第１の磁性部分は、第１磁石部材により形成され、前記第２の磁性部分は、第１磁石部材と磁力で結合する第２磁石部材により形成されていることを特徴とする請求項１から３のいずれか一つに記載の照明装置。
【請求項７】
前記第１磁石部材は、前記枠部材の一辺に対して複数配置され、前記第２磁石部材は、前記周縁部の一辺に対して複数配置されていることを特徴とする請求項６記載の照明装置。
【請求項８】
前記第１磁石部材及び前記第２磁石部材のそれぞれは、極性の異なる磁石が複数連結された構成となっていることを特徴とする請求項６又は７記載の照明装置。
【請求項９】
前記カバーは、前記第２の位置にある場合において、前記ユニット取付機構と前記パネルとの境界領域を覆う大きさであることを特徴とする請求項１から８のいずれか一つに記載の照明装置。
【請求項１０】
前記照明ユニット及び前記ユニット取付機構を含む厚さは、前記前記パネルの所定厚さであることを特徴とする請求項１から９のいずれか一つに記載の照明装置。
【発明の詳細な説明】
【技術分野】
【０００１】
この発明は、周辺を所定厚さの板状のパネルで覆われた構築物の表面に装着される照明装置に関する。
【背景技術】
【０００２】
建物や土木建築物などの構築物において、照明装置は、構築物の天井、壁、床などに設置される。
【０００３】
例えば、一般住宅など住空間に設置される照明装置には、直接の照明光を和らげたり、発光品位を高めたりするために、最前面に拡散機能を有する透光カバー（以下、「カバー」という場合がある）が配置されている。
【０００４】
照明装置の本体は光源（ランプ、発光素子）等を有している。一般的に、本体は天井面と異なる高さに設置されていて、天井面より室内側に突出している（所謂、「シーリングライト」。たとえば、特許文献１参照）。この場合、カバーは照明装置の本体の前面を覆っているため、本体に対してさらに室内側に突出している。本体を点検、補修するため、または、カバーを交換するため、カバーを本体に着脱するための着脱機構が設けられている。
【０００５】
特許文献２には、カバーの着脱機構の一例として、本体側のリブとカバー側のリブとを互いに嵌合、離脱させるように、カバーを本体に対して回転またはスライドさせることにより、カバーを本体に着脱させる構成が記載されている。
【０００６】
また、近年、ＬＥＤなどの発光素子と、発光素子からの光が入射され、所定位置から所定の方向に出射される導光板とを組み合わせることにより、薄型を含め、多様な形状の照明装置が創られるようになった。また、照明装置の形状の多様化により、照明装置が設置される構築物の表面をデザインするときの自由度が高まりつつある。
【先行技術文献】
【特許文献】
【０００７】
【特許文献１】特開２０１１−１７１１４６号公報
【特許文献２】特開２００９−８７５７８号公報
【発明の概要】
【発明が解決しようとする課題】
【０００８】
しかしながら、特許文献１に記載された照明装置では、カバーが天井面より室内側に大きく突出しているため、室内の利用者に突起感を与え、構築物のデザインの自由度を制約するという問題がある。
【０００９】
一方、使用者に突起感を与えないように、カバーを天井面と同じ高さに設置することも可能である。しかし、この場合には、天井に対してカバーをその厚さ分だけ埋め込む必要があるため、カバーが天井に当接することになる。よって、たとえば、特許文献２のような着脱機構を設けることが難しく、カバーの着脱を容易に行うことができない。つまり、カバー着脱の際の作業効率が低下するという問題がある。
【００１０】
更には、カバーの大きさ等によっては、着脱作業の際や天井に固定した状態において、カバーに撓みが生じる可能性がある。この場合、カバー着脱の際の作業効率や構築物の外観のデザインに影響を与える。
【００１１】
この発明は、上記の問題を解決するものであり、構築物をデザインするときの自由度を高めつつ、カバーの着脱を容易に行うことが可能な照明装置を提供することを目的とする。
【課題を解決するための手段】
【００１２】
上記課題を解決するため、請求項１記載の照明装置は、周辺を所定厚さの板状のパネルで覆われた構築物の表面に装着される。照明装置は、照明ユニットと、ユニット取付機構と、カバーと、カバー取付機構とを有する。照明ユニットは、板状の部材であって、照明光を発光する。ユニット取付機構は、照明ユニットを保持し、第１の磁性部分を有する枠部材と、枠部材を介して照明ユニットを構築物の表面に固定するための固定部材とを含む。カバーは、板状の部材であって、構築物の表面に固定された照明ユニットを覆うように配置される。カバー取付機構は、ユニット取付機構及びカバーに設けられた係止機構と、カバーの周縁部に設けられた第２の磁性部分とを有する。カバー取付機構は、カバーをユニット取付機構に対して第１の位置に配置し、且つ第１の磁性部分と第２の磁性部分とを磁力により結合させ、カバーを照明ユニットに対する平行方向にスライドさせて第２の位置に配置することで、第２の位置でカバーをユニット取付機構に対して固定する。
また、上記課題を解決するため、請求項２記載の照明装置は、請求項１記載の照明装置であって、係止機構は、第１の係止機構及び第２の係止機構を有する。第１の係止機構は、第１の突起部と、第１の被係止部とを有する。第１の突起部は、ユニット取付機構及びカバーの一方に設けられ、柱状の第１の基部の先端に第１の基部の径より大きい径を有する第１の頭部を有する。第１の被係止部は、他方に設けられ、凹部を有する。第１の係止機構は、凹部と第１の基部とが平行方向へのスライドにより嵌合することで、平行方向と直交する方向への着脱を制限する。第２の係止機構は、第２の突起部と、第２の被係止部とを有する。第２の突起部は、ユニット取付機構及びカバーの一方に設けられ、柱状の第２の基部の先端に第２の基部の径より大きい径を有する第２の頭部を有する。第２の被係止部は、他方に設けられ、第２の頭部の径より大きい第１の孔部、及び第１の孔部と連通し、第２の頭部の径よりも小さい第２の孔部を有する。第２の係止機構は、第１の位置において、第２の頭部は第１の孔部の位置にあり、平行方向のスライドにより、第２の位置において、第２の頭部が第２の孔部の位置にあることで、平行方向と直交する方向への着脱を制限する。
また、上記課題を解決するため、請求項３記載の照明装置は、請求項２記載の照明装置であって、第１の突起部は、ユニット取付機構の一の枠部材の両端に位置する２つの隅それぞれに設けられている。第２の突起部は、一の枠部材に対向する位置の枠部材の両端に位置する２つの隅それぞれに設けられている。第１の被係止部は、カバーの一の周縁部の両端に位置する２つの角縁それぞれに設けられている。第２の被係止部は、一の周縁部に対向する位置の周縁部の両端に位置する２つの角縁それぞれに設けられている。
また、上記課題を解決するため、請求項４記載の照明装置は、請求項１から３のいずれか一つに記載の照明装置であって、第１の磁性部分及び第２の磁性部分の一方は、他方の磁性部分と磁力で結合する磁石部材である。
また、上記課題を解決するため、請求項５記載の照明装置は、請求項４記載の照明装置であって、磁石部材は、枠部材又は周縁部の一辺に対して複数配置されている。
また、上記課題を解決するため、請求項６記載の照明装置は、請求項１から３のいずれか一つに記載の照明装置であって、第１の磁性部分は、第１磁石部材により形成され、第２の磁性部分は、第１磁石部材と磁力で結合する第２磁石部材により形成されている。
また、上記課題を解決するため、請求項７記載の照明装置は、請求項６記載の照明装置であって、第１磁石部材は、枠部材の一辺に対して複数配置され、第２磁石部材は、周縁部の一辺に対して複数配置されている。
また、上記課題を解決するため、請求項８記載の照明装置は、請求項６又は７記載の照明装置であって、第１磁石部材及び第２磁石部材のそれぞれは、極性の異なる磁石が複数連結された構成となっている。
また、上記課題を解決するため、請求項９記載の照明装置は、請求項１から８のいずれか一つに記載の照明装置であって、カバーは、第２の位置にある場合において、ユニット取付機構とパネルとの境界領域を覆う大きさである。
また、上記課題を解決するため、請求項１０記載の照明装置は、請求項１から９のいずれか一つに記載の照明装置であって、照明ユニット及びユニット取付機構を含む厚さは、パネルの所定厚さである。
【発明の効果】
【００１３】
請求項１記載の照明装置によると、簡易なカバー取付機構（第２の磁性部分及び係止機構）によって、カバーの着脱を容易且つ確実に行うことが可能となる。よって、カバーの着脱作業やカバーを外しての照明ユニットへのメンテナンス等の作業効率を向上させることができる。また、カバー取付機構により板状のカバーを取り付けることができるため、構築物をデザインするときの自由度を高めることが可能となる。
また、請求項２記載の照明装置によると、第１の係止機構は、凹部と第１の基部とが平行方向へのスライドにより嵌合することで、平行方向と直交する方向への着脱を制限する。第２の係止機構は、第１の位置において、第２の頭部は第１の孔部の位置にあり、平行方向のスライドにより、第２の位置において、第２の頭部が第２の孔部の位置にあることで、平行方向と直交する方向への着脱を制限する。従って、第１の係止機構及び第２の係止機構により、ユニット取付機構に対してカバーの着脱を容易に行うことができる。また、第１の係止機構及び第２の係止機構は、薄く形成することができるため、構築物をデザインするときの自由度を高めることができる。
また、請求項３記載の照明装置によると、第１の突起部及び第２の突起部は、ユニット取付機構の４隅に設けられており、第１の被係止部及び第２の被係止部は、カバーの４隅に設けられている。従って、ユニット取付機構に対してカバーを確実に固定することができる。
また、請求項４記載の照明装置によると、第１の磁性部分または第２の磁性部分が磁石部材で形成されている。よって、磁性部分と磁力で結合することができるため、ユニット取付機構に対してカバーを位置決め・固定することができる。
また、請求項５記載の照明装置によると、磁石部材は、枠部材又は周縁部の一辺に対して複数配置されている。複数の磁石部材を配置することで、ユニット取付機構に対してカバーをより確実に位置決め・固定することができる。
また、請求項６記載の照明装置によると、第１の磁性部分及び第２の磁性部分を磁石部材（第１磁石部材、第２磁石部材）で形成している。従って、カバーの着脱を確実に行うことができる。
また、請求項７記載の照明装置によると、第１磁石部材は、枠部材の一辺に対して複数配置され、第２磁石部材は、周縁部の一辺に対して複数配置されている。複数の第１磁石部材及び第２磁石部材を配置することで、ユニット取付機構に対してカバーをより確実に位置決め・固定することができる。
また、請求項８記載の照明装置によると、第１磁石部材及び第２磁石部材のそれぞれは、極性の異なる磁石が複数連結された構成となっている。このように磁石部材を構成することにより、第１の位置から第２の位置にカバーを移動させる際にクリック感が生じる。従って、作業者は、カバーがユニット取付機構に対して固定されたかどうかを容易に把握することができる。
また、請求項９記載の照明装置によると、カバーは、第２の位置にある場合において、ユニット取付機構とパネルとの境界領域を覆う大きさである。よって、室内から照明装置１０を見た場合、照明装置１０とパネルＰとの継ぎ目が見えないので外観を保つことが可能となっている。すなわち、デザインの自由度を高めることが可能となる。
また、請求項１０記載の照明装置によると、照明ユニット及びユニット取付機構を含む厚さは、パネルの所定厚さである。パネルと同程度の薄型の照明装置１０を用いることにより、スペースの問題の影響を受け難い。従って、構築物をデザインするときの自由度を高めることが可能となる。
【図面の簡単な説明】
【００１４】
【図１】実施形態に係る照明装置が天井に装着された状態を示す図である。
【図２】実施形態に係る照明装置を示す図である。
【図３Ａ】実施形態に係る照明ユニットを示す図である。
【図３Ｂ】実施形態に係る照明ユニットの説明を補足する図である。
【図４Ａ】実施形態に係るユニット取付機構を示す図である。
【図４Ｂ】実施形態に係るユニット取付機構の説明を補足する図である。
【図５Ａ】実施形態に係るユニット取付機構を示す図である。
【図５Ｂ】実施形態に係るユニット取付機構及び照明ユニットを示す図である。
【図６】実施形態に係る透光カバーを示す図である。
【図７Ａ】実施形態に係る透光カバーの説明を補足する図である。
【図７Ｂ】実施形態に係る透光カバーの説明を補足する図である。
【図７Ｃ】実施形態に係る透光カバーの説明を補足する図である。
【図７Ｄ】実施形態に係る透光カバーの説明を補足する図である。
【図７Ｅ】実施形態に係る透光カバーの説明を補足する図である。
【図８Ａ】実施形態に係る第１の係止機構を示す図である。
【図８Ｂ】実施形態に係る第１の係止機構を示す図である。
【図９Ａ】実施形態に係る第１の係止機構を示す図である。
【図９Ｂ】実施形態に係る第１の係止機構を示す図である。
【図１０Ａ】実施形態に係る第２の係止機構を示す図である。
【図１０Ｂ】実施形態に係る第２の係止機構を示す図である。
【図１１Ａ】実施形態に係る第２の係止機構を示す図である。
【図１１Ｂ】実施形態に係る第２の係止機構を示す図である。
【図１２】実施形態に係る照明装置が天井に装着された状態を示す図である。
【図１３】実施形態に係る照明装置が天井に装着された状態で透光カバーを外した状態を示す図である。
【図１４Ａ】変形例２に係る磁石部材を示す図である。
【図１４Ｂ】変形例２に係る磁石部材を示す図である。
【発明を実施するための形態】
【００１５】
この発明の実施形態に係る照明装置１０の構成について各図を参照して説明する。以下の説明において、照明装置１０が装着される構築物の表面として、室内の天井面Ｃを一例に挙げて説明する。また、照明装置１０の上下方向をＺ方向とし、透光カバー４０（後述）のスライド方向をＹ方向とし、Ｘ方向及びＺ方向に直交する方向をＸ方向として述べる（図２等参照）。より具体的には、照明装置１０の上方向を＋Ｚ方向とする。＋Ｚ方向は照明装置１０が天井面Ｃと接する側である。ユニット取付機構３０（後述）に対し透光カバー４０をスライドする方向を＋Ｙ方向とする。
【００１６】
（パネルＰ）
図１は、天井面Ｃに装着された照明装置１０をその斜め下方位置から見たときの図である。天井面Ｃには、照明装置１０及びパネルＰが装着されている。なお、図１は、照明装置１０及びパネルＰが装着された状態を示しているため、天井面Ｃは図示されていない。
【００１７】
パネルＰは、照明装置１０の周辺に複数枚、配置されている。なお、パネルＰを天井材という場合がある。
【００１８】
パネルＰは、板状の面（例えば、縦３００ｍｍ×横３００ｍｍ）で、所定厚さ（例えば、９ｍｍ）を有する。パネルＰの材料の一例としては、石こう、ガラス繊維、アルミニウム、ステンレス、木材、及び、珪藻土のいずれか一つ、または、これらの材料の二以上を組み合わせたものが用いられる。
【００１９】
パネルＰ及び照明装置１０を天井面Ｃに装着する方法としては、一般的な方法が用いられる。装着方法の一例としては、隣接するパネルＰ同士が相互に組み合わせられる。また、隣接するパネルＰと照明装置１０とは相互に組み合わされる。さらに、パネルＰは天井面Ｃに固定される。さらに、照明装置１０は天井面Ｃに固定される。
【００２０】
パネルＰや照明装置１０を天井面Ｃに固定する方法には、天井面Ｃの素材に応じた一般的な方法が用いられる。例えば、天井面Ｃの素材がコンクリートであれば、下孔に固定されるアンカー付きのネジによる固定方法が用いられる。天井面Ｃが所定ピッチで並べられた複数の角材（木材）と下地材（木材）とにより構成されるものでは、ネジ、または、ステープル（ｓｔａｐｌｅ）による固定方法が用いられる。
【００２１】
〔照明装置１０の構成〕
図２を参照して、照明装置１０の概略構成について説明する。図２は、照明装置１０の分解斜視図である。
【００２２】
照明装置１０は、照明ユニット２０と、ユニット取付機構３０と、透光カバー４０とを有している。また、照明装置１０には、透光カバー４０をユニット取付機構３０に対して固定するカバー取付機構５０が形成される。
【００２３】
（照明ユニット２０）
図３Ａ及び図３Ｂを参照して照明ユニット２０の構成について説明する。図３Ａは、図２に示す照明ユニット２０のみを拡大した斜視図である。図３Ｂは、照明ユニット２０をＸ方向の任意の位置でＹ方向に破断したときの断面図である。図３Ｂでは、照明ユニット２０の一部のみを示している。
【００２４】
照明ユニット２０は、板状の部材であって、照明光を発光する。照明ユニット２０は、保持部材１１、発光素子１２、導光板１３、及び光反射シート１４を有している。
【００２５】
保持部材１１は、４つの辺部１１ａと、隣接する辺部１１ａを接続する４つの角部１１ｂとからなる。保持部材１１は、略矩形状に形成され、ユニット取付機構３０に嵌め込まれるように構成されている。略矩形状に形成された保持部材１１の角部１１ｂには、被固定部１１ｆが形成される。被固定部１１ｆは、孔形状であり、照明ユニット２０とユニット取付機構３０とを連結するために使用される（詳細は後述）。
【００２６】
図３Ｂに示すように、辺部１１ａの断面形状は、上壁部１１ｃ、下壁部１１ｄ及び底壁１１ｅを備えた略Ｕ字状に形成されている。底壁１１ｅは、上壁部１１ｃと下壁部１１ｄとを繋ぐ。Ｙ方向において、上壁部１１ｃは下壁部１１ｄよりも延出している。上壁部１１ｃ及び下壁部１１ｄは、導光板１３の両面（表面及び裏面）の縁部を挟むように形成されている。つまり、保持部材１１は、上壁部１１ｃ及び下壁部１１ｄにより導光板１３を保持する。底壁１１ｅと導光板１３の側面との間の隙間には、発光素子１２が配置されている。つまり、保持部材１１は、底壁１１ｅにより発光素子１２を保持する。
【００２７】
辺部１１ａと角部１１ｂとの間の隙間、及び、角部１１ｂと被固定部１１ｆとの間の隙間は、発光素子１２からの光の入射／出射を防止するために遮光テープ等で封止されている。その結果、発光素子１２からの光が隙間を通って外部に出射せず、また、外部から隙間を通って内部に入射しないため、不要となった光が隙間を通って入射したり出射したりしない。つまり、照明ユニット２０の発光品位を高めることが可能となる。なお、辺部１１ａと角部１１ｂとの間の隙間、及び、角部１１ｂと被固定部１１ｆとの間の隙間に遮光処理を行うことでもよい。遮光処理の一例として、放射率が黒体に近い材料（例えば、カーボンナノチューブ黒体）を、辺部１１ａと角部１１ｂとの間の隙間などに塗布する黒体塗装がある。黒体塗装により、紫外線、可視光線、遠赤外線までの広い波長域で光を吸収することができる。
【００２８】
また、上壁部１１ｃ及び下壁部１１ｄの外壁面および底壁１１ｅの外壁面は、光反射防止処理されている。光反射防止処理の例としては、発光素子１２からの光を吸収する処理、或いは光を拡散する処理がある。
【００２９】
光を吸収する処理としては、例えば、放射率が黒体に近い材料を上壁部１１ｃ及び下壁部１１ｄの外壁面および底壁１１ｅの外壁面に塗布する黒体塗装（前述）、または、表面無反射構造処理が用いられる。なお、黒体塗装されたフィルム、または、外壁面に貼り付けてもよい。表面無反射構造処理においては、外壁面にナノ構造の円錐列を作り込むことで、発光素子１２からの光が外壁面に吸収され、外壁面での光反射がなくなる。それにより、照明ユニット２０内で不要となる、または、不要となった光が外壁面に吸収されて見えなくなり、外観品質を向上させることが可能となる。
【００３０】
発光素子１２は、導光板１３の両側面（Ｙ方向の側面）に沿って配列されている。発光素子１２は、導光板１３の側面と保持部材１１の底壁１１ｅとの間の隙間に配置されている。発光素子１２には、例えば、発光ダイオード（ＬＥＤ）が用いられている。なお、発光素子１２は、導光板１３の周面の全部または一部に沿って配置されていればよい。特に、複数の発光素子１２を配置する場合には、導光板１３の周面において対称となる位置に設けることにより、均一な発光状態を保つことができる。
【００３１】
導光板１３は、板状の面を有し、導光板１３は、その側面に発光素子１２からの光が入射され、その表面から光（照明光）が出射するように構成されている。導光板１３は、３．０ｍｍ〜５．０ｍｍの厚さを有する。導光板１３の材料としては、アクリル製の透明プラスチック板が一般的に用いられ、その他に、材料としてはポリカーボネート（ＰＣ）樹脂、シクロオレフィン系樹脂等を用いることができる。
【００３２】
導光板１３において、発光素子１２が配列された側面を除く他の周囲面は、光反射処理されている。光反射処理として、反射テープを用いて、発光素子１２の配置してない導光板１３の端面から漏れる光を導光板１３に戻し、表面からの出射効率を上げる。
【００３３】
光反射シート１４は、導光板１３の裏面（天井面側）に載置されている。光反射シート１４は、発光素子１２の光が裏面に抜けるのを防止し、−Ｚ方向へ反射させることで、効率的に照明光を出射することができる。光反射シート１４の材料としては、たとえば、透明性や光学特性に優れたＰＥＴフィルムに銀を蒸着したものや、金属泊（例えば、アルミニウム）を積層したものが用いられている。光反射シート１４（複数層を含む）は、例えば、１．０ｍｍの厚さを有している。例えば、光反射シート１４は、０．５ｍｍ以下のシートに金属板を貼り合わせて１ｍｍ程度で使用する。
【００３４】
照明ユニット２０の厚さは、例えば、６．０ｍｍ〜７．０ｍｍであって、導光板１３の厚さ、及び光反射シート１４の厚さ、及び、保持部材１１の板厚（例えば、１．０ｍｍ）により構成されている。なお、発光素子１２は、底壁１１ｅと導光板１３の側面との間の隙間に配されているため、照明ユニット２０の厚さを構成しない。
【００３５】
（ユニット取付機構３０）
図４Ａ及び図４Ｂを参照して、ユニット取付機構３０について説明する。図４は、図２に示すユニット取付機構３０のみを拡大した斜視図である。図４Ｂは、図４Ａにおけるユニット取付機構３０の左手前の隅部分を＋Ｘ方向にみた拡大斜視図である。図４Ｂにおいては、ネジＦ（後述）の記載を省略している。
【００３６】
ユニット取付機構３０は、枠部材３１と、コーナー部材３２と、第１の突起部３３と、第２の突起部３４とを有する。
【００３７】
枠部材３１は、照明ユニット２０を保持する部材である。枠部材３１は、第１の磁性部分を有する。枠部材３１はアングル断面形状を有している。枠部材３１は、４つの辺部及び４つの隅部を有する略矩形状に形成されている。隣接する枠部材３１同士は、コーナー部材３２によりネジを用いて連結されている。枠部材３１は、例えば、アルミニウム等の非磁性材料により形成されている。
【００３８】
枠部材３１の下面には、磁石部材３１ａまたは磁石部材３１ｂが設けられている。本実施形態において、長手方向がＹ方向と平行な方向に配置される磁石部材を磁石部材３１ａとし、長手方向がＸ方向と平行な方向に配置される磁石部材を磁石部材３１ｂとする。
【００３９】
磁石部材３１ａ及び磁石部材３１ｂは、透光カバー４０が取り付けられる際に、透光カバー４０に設けられた磁石部材４３ａ及び磁石部材４３ｂ（後述）と磁力により結合する。図４Ａでは、枠部材３１の一辺に対して磁石部材３１ａまたは磁石部材３１ｂが一つだけ設けられている例を示している。なお、磁石部材３１ａ及び磁石部材３１ｂは、枠部材３１の一辺に対して複数設けられていてもよい。枠部材３１の一辺に対して設けられる磁石部材の数が、磁石部材３１ａと磁石部材３１ｂとで異なっていてもよい。磁石部材３１ａ及び磁石部材３１ｂは、たとえば、異方性の磁石により形成される。或いは、磁石部材４３ａ及び磁石部材４３ｂとして、樹脂に磁性体を混合したラバーマグネットを用いることも可能である。本実施形態における磁石部材３１ａは、「第１磁石部材」の一例である。また、非磁性材料により形成される枠部材３１に磁石部材３１ａを設けることにより、枠部材３１に「第１の磁性部分」が形成されることとなる。なお、枠部材３１自体が磁性材料により形成されていてもよい。この場合には、当然に枠部材３１に「第１の磁性部分」が形成されることになる。
【００４０】
コーナー部材３２は、略Ｌ字形状を有している。コーナー部材３２は、例えば、アルミニウム等の非磁性材料により形成されている。コーナー部材３２は孔部３２ａ及び孔部３２ｂを有する。孔部３２ａには、＋Ｚ方向に突出するネジＦが挿入される（図４Ａ参照）。孔部３２ｂは、ユニット取付機構３０と照明ユニット２０とを連結するためのネジＳ１（後述）が挿入される。コーナー部材３２は、ネジＦにより天井面Ｃ（構築物の表面）に固定される。それにより、枠部材３１を介して照明ユニット２０を天井面Ｃに固定することが可能となる。すなわち、本実施形態におけるコーナー部材３２及びネジＦは、「固定部材」の一例である。
【００４１】
第１の突起部３３は、第１の基部３３ａと、第１の頭部３３ｂとを有する。第１の基部３３ａは、柱状の部材であり、その先端に第１の頭部３３ｂが設けられている。第１の頭部３３ｂは、第１の基部３３ａの径よりも大きい径を有する。第１の突起部３３としては、たとえば段付きネジを用いることができる。第１の突起部３３は、第１の基部３３ａ及び第１の頭部３３ｂが下方（−Ｚ方向）に突出するように、枠部材３１及びコーナー部材３２を貫通して設けられている。第１の突起部３３は、ユニット取付機構３０の一の枠部材３１の両端に位置する２つの隅それぞれに設けられている。本実施形態では、図４ＡのＹ方向手前側の枠部材３１の両端に位置する２つの隅に第１の突起部３３が設けられている（図４Ａでは、一の第１の突起部３３のみが示されている）。
【００４２】
一方、第１の突起部３３が設けられた枠部材３１に対向する位置の枠部材３１（Ｙ方向奥側の枠部材３１）の両端に位置する２つの隅に第２の突起部３４が設けられている。第２の突起部３４は、第１の突起部３３と同様の構成であり、第１の基部３３ａに対応する第２の基部３４ａ、及び第１の頭部３３ｂに対応する第２の頭部３４ｂを有する。
【００４３】
ここで、図５Ａ及び図５Ｂを参照して、ユニット取付機構３０と照明ユニット２０との連結について説明する。図５Ａは、図４Ａにおけるユニット取付機構３０の右手前の隅部分を＋Ｚ方向にみた拡大図である。図５Ｂは、ユニット取付機構３０の右手前の隅部分及び照明ユニット２０の右手前の隅部分を＋Ｚ方向にみた拡大図である。図５Ａ及び図５Ｂにおいては、磁石部材３１ａ、磁石部材３１ｂ及びネジＦの記載を省略している。また、ここでは、一の隅部分における連結の例を示すが、他の隅部分でも同様である。
【００４４】
図５Ａに示すように、孔部３２ｂは、枠部材３１同士がコーナー部材３２により連結された状態において、ユニット取付機構３０の内側に位置する。
【００４５】
そして、図５Ｂに示すように、ユニット取付機構３０の内側に照明ユニット２０を配し、照明ユニット２０の被固定部１１ｆと孔部３２ｂとが重なる位置でネジＳ１により締着することで、ユニット取付機構３０と照明ユニット２０とが相互に連結される。なお、ネジＳ１による締着は、照明ユニット２０の下側（−Ｚ方向）から行う。このように、照明ユニット２０の下側から締着を行うことにより、後で照明ユニット２０のメンテナンス等を行う場合であっても、透光カバー４０を取り外すだけで可能となる。すなわち、照明装置１０に対する作業効率をよくすることができる。
【００４６】
なお、本実施形態において、孔部３２ａは、ユニット取付機構３０の外側に位置する。つまり、孔部３２ａをユニット取付機構３０の内側に設ける場合に比べ、照明ユニット２０の面積（光を照射する面積）を広くとることができる。
【００４７】
（透光カバー４０）
次に、図６から図７Ｅを参照して、透光カバー４０の構成について説明する。なお、本実施形態における透光カバー４０は、「カバー」の一例である。
【００４８】
図６は、図２に示す透光カバー４０のみを拡大した斜視図である。透光カバー４０は、板状の面を有し、構築物の表面（天井面Ｃ）に固定された照明ユニット２０を覆うように配置される。
【００４９】
透光カバー４０は、その周縁部４１が枠部材３１の下方（−Ｚ方向）に位置するように配置されている。透光カバー４０の周縁部４１は、透光カバー４０の面の中央部４２に比べて透光性が低くなっている。周縁部４１のみの透光性を低くすることにより、照明ユニット２０の発光時において、輝度の低下を抑えることができる。また、照明ユニット２０の非発光時において、周縁部４１が透けずに、室内側から透光カバーを通して枠部材３１が見えないようにして、外観品質を向上することが可能となる。
【００５０】
透光カバー４０は、たとえば、縦３１０ｍｍ×横３１０ｍｍの面形状、及び、１．０ｍｍ〜２．０ｍｍの厚さを有している。透光カバー４０の材料には、非磁性材料であるアクリル製の透明プラスチック板が一般的に用いられる。或いは、透光カバー４０の材料としては、ポリカーボネート（ＰＣ）樹脂が使用されている。
【００５１】
透光カバー４０の周縁部４１の透光性を低くするには、例えば、透光カバー４０の裏面（照明ユニット２０側の面）に施される、光を吸収する処理、及び、光を拡散する処理が用いられる。周縁部４１の透光性を低くすることで、周縁部４１の上方（＋Ｚ方向）に位置する枠部材３１が見えず、外観品質を向上させることが可能となる。
【００５２】
具体的な処理としては、１）単純に天井色あるいは好みの色のみを塗装し、透光性を低くする。２）重ね塗りで、部屋側最前面に天井色あるいは好みの色、その裏の層に遮光層（例えば黒体塗装や灰色塗装）、その裏に最前面と同じ色（３層目はあってもなくても可）を塗装する。３）天井側の面を天井色あるいは好みの色を塗装し、さらに、最前面（反射面）を光拡散処理する。
【００５３】
光拡散処理には、凹凸処理及び無反射コーティング処理がある。透光カバー４０に対す凹凸処理では、例えば、透光カバー４０の裏面をサンドブラストし、さらに、その裏面を化学処理して、透光カバー４０を乳白色にする加工と、透光カバー４０の裏面に凹凸模様をつける加工と、砂と金属ブラシで不透明にした加工とがある。
【００５４】
透光カバー４０（周縁部４１）の上面には、磁石部材４３ａと、磁石部材４３ｂと、第１の被係止部４４と、第２の被係止部４５とが設けられている。本実施形態において、長手方向がＹ方向と平行な方向に配置される磁石部材を磁石部材４３ａとし、長手方向がＸ方向と平行な方向に配置される磁石部材を磁石部材４３ｂとする。
【００５５】
磁石部材４３ａ（磁石部材４３ｂ）は、透光カバー４０がユニット取付機構３０に取り付けられる際に磁石部材３１ａ（磁石部材３１ｂ）と結合するよう、ユニット取付機構３０に設けられた磁石部材３１ａ（磁石部材３１ｂ）と対向する位置に設けられる。図６では、磁石部材４３ａ及び磁石部材４３ｂが、周縁部４１の一辺に対して一つだけ設けられている例を示している。なお、磁石部材４３ａ及び磁石部材４３ｂは、周縁部４１の一辺に対して複数設けられていてもよい。周縁部４１の一辺に対して設けられる磁石部材の数が、磁石部材４３ａと磁石部材４３ｂとで異なっていてもよい。磁石部材４３ａ及び磁石部材４３ｂは、たとえば、異方性の磁石により形成される。或いは、磁石部材４３ａ及び磁石部材４３ｂとして、樹脂に磁性体を混合したラバーマグネットを用いることも可能である。本実施形態における磁石部材４３ａは、「第２磁石部材」の一例である。また、非磁性材料により形成される周縁部４１に磁石部材４３ａを設けることにより、周縁部４１に「第２の磁性部分」が形成されることとなる。なお、透光カバー４０のうち、周縁部４１自体が磁性材料により形成されていてもよい。この場合には、当然に周縁部４１に「第２の磁性部分」が形成されることになる。但し、第１の磁性部分または第２の磁性部分の少なくとも一方は、他方の磁性部分と磁力で結合する磁石部材である。
【００５６】
図７Ａ及び図７Ｂは、第１の被係止部４４を示す図である。図７Ａは、図６における透光カバー４０の左手前の第１の被係止部４４を＋Ｘ方向にみた拡大斜視図である。図７Ａは、第１の被係止部４４を上側（Ｚ方向）から見た図である。図７Ｂでは、透光カバー４０の記載を省略している。
【００５７】
第１の被係止部４４は、一端に凹部４４ａを有する。凹部４４ａは、Ｙ方向に開口を有するＵ字形状に形成されている。凹部４４ａには、ユニット取付機構３０に設けられた第１の突起部３３（第１の基部３３ａ）が嵌合する（詳細は後述）。凹部４４ａの幅は、第１の頭部３３ｂの径よりも狭く形成されている。第１の被係止部４４の他端は、ネジＳ２により周縁部４１に固定されている。第１の被係止部４４の他端を周縁部４１に固定した状態（図７Ａの状態）において、凹部４４ａは、周縁部４１の上面から浮いた状態で配置される。また、凹部４４ａの開口の内側は、第１の突起部３３（第１の基部３３ａ）が嵌合し易いよう面取りがなされている。
【００５８】
なお、本実施形態において、第１の被係止部４４は、透光カバー４０の一の周縁部４１（図６のＹ方向手前側の周縁部４１）の両端に位置する２つの角縁それぞれに設けられている（図６参照）。
【００５９】
図７Ｃ及び図７Ｄは、第２の被係止部４５を示す図である。図７Ｃは、図６における透光カバー４０の左奥前の第２の被係止部４５を＋Ｘ方向にみた拡大斜視図である。図７Ｄは、第２の被係止部４５を上側（Ｚ方向）から見た図である。図７Ｄでは、透光カバー４０の記載を省略している。
【００６０】
第２の被係止部４５は、一端に係止用孔部４６が形成されている。係止用孔部４６は、第１の孔部４６ａ、第２の孔部４６ｂ及び経路４６ｃを有する。第１の孔部４６ａは第２の孔部４６ｂよりも高い位置にあり、経路４６ｃを介して連通されている。第１の孔部４６ａの径は、第２の頭部３４ｂの径よりも大きく形成されている（図７Ｄ参照）。また、第２の孔部４６ｂの径は、第２の頭部３４ｂの径よりも小さく形成されている（図７Ｄ参照）。従って、第１の孔部４６ａには、第２の頭部３４ｂを有する第２の突起部３４を挿入することができる。第２の孔部４６ｂは、第２の突起部３４（第２の基部３４ａ）が嵌合する（詳細は後述）。第２の被係止部４５の他端は、ネジＳ２により周縁部４１に固定されている。第２の被係止部４５の他端を周縁部４１に固定した状態（図７Ｃの状態）において、第２の被係止部４５の一端（係止用孔部４６が形成されている部分）は、周縁部４１の上面から浮いた状態で配置される。
【００６１】
なお、本実施形態において、第２の被係止部４５は、第１の被係止部４４が配置される周縁部４１に対向する位置の周縁部４１（図６のＹ方向奥側の周縁部４１）の両端に位置する２つの角縁それぞれに設けられている（図６参照）。具体的には、第１の被係止部４４及び第２の被係止部４５は、凹部４４ａ（凹部４４ａの開口）が形成された一端と、係止用孔部４６が形成された一端とが向き合うよう配置される（図６参照）。
【００６２】
図７Ｅは、第２の被係止部４５を周縁部４１の角縁に固定する例を示す図である。
【００６３】
第２の被係止部４５の他端に設けられたネジ孔にネジＳ２を挿入する。ネジＳ２は、ネジ孔及び周縁部４１に形成された孔を貫通する。一方、周縁部４１の孔の裏側には、アルミ板等で形成されるネジＳ３が設けられている。そして、周縁部４１を貫通したネジＳ２とネジＳ３が締着することで第２の被係止部４５を周縁部４１に固定することができる。
【００６４】
更に、ネジＳ３の裏側にシール部材Ｍを貼り付けることで、室内から天井を見た場合に、ネジＳ３を隠すことができる。よって、外観をよくすることが可能となる。また、ネジＳ２及びネジＳ３による固定を補強するために、第２の被係止部４５と周縁部４１との間に両面テープ等の補強部材を設けてもよい。或いは、第２の被係止部４５と周縁部４１とを一体に形成してもよい。
【００６５】
なお、図７Ｅでは、第２の被係止部４５の例を示しているが、第１の被係止部４４も同様の固定方法を採用することができる。
【００６６】
（カバー取付機構５０）
図８Ａから図１１Ｂを参照してカバー取付機構５０について説明する。以下、透光カバー４０をユニット取付機構３０に着脱可能な位置を「第１の位置」し、透光カバー４０がユニット取付機構３０に対して固定される位置を「第２の位置」とする。
【００６７】
カバー取付機構５０は、係止機構と、磁石部材３１ａ（枠部材３１に設けられた第１の磁性部分）と、磁石部材４３ａ（周縁部４１に設けられた第２の磁性部分）とを含んで構成される。
【００６８】
カバー取付機構５０は、透光カバー４０をユニット取付機構３０に対して第１の位置に配置し、且つ第１の磁性部分（磁石部材３１ａ）と第２の磁性部分（磁石部材４３ａ）とを磁力により結合させ、透光カバー４０を照明ユニット２０に対する平行方向（本実施形態では＋Ｙ方向）にスライドさせて第２の位置に配置することで、第２の位置で透光カバー４０をユニット取付機構３０に対して固定する。
【００６９】
本実施形態における係止機構は、第１の係止機構Ｌ１と、第２の係止機構Ｌ２とを有する。
【００７０】
第１の係止機構Ｌ１は、第１の突起部３３及び第１の被係止部４４により形成される機構である。第２の係止機構Ｌ２は、第２の突起部３４及び第２の被係止部４５により形成される機構である。すなわち、本実施形態では、２つの第１の係止機構Ｌ１、及び２つの第２の係止機構Ｌ２が設けられていることになる。
【００７１】
以下、ユニット取付機構３０に対する透光カバー４０の固定動作について詳細な説明を行う。
【００７２】
図８Ａ及び図９Ａは、図２における左手前側の第１の突起部３３（図２には図示なし）及び第１の被係止部４４を＋Ｘ方向にみた拡大斜視図である。図８Ｂ及び図９Ｂは、それぞれ図８Ａ及び図９Ａの状態におけるＹ方向の断面図である。図１０Ａ及び図１１Ａは、図２における左奥側の第２の突起部３４及び第２の被係止部４５を＋Ｘ方向にみた拡大斜視図である。図８Ｂ及び図９Ｂは、それぞれ図８Ａ及び図９Ａの状態におけるＹ方向の断面図である。また、図８Ａ、図８Ｂ、図１０Ａ及び図１０Ｂは、透光カバー４０が第１の位置にある状態を示し、図９Ａ、図９Ｂ、図１１Ａ及び図１１Ｂは、透光カバー４０が第２の位置にある状態を示す。図８Ａ、図９Ａ、図１０Ａ及び図１１Ａでは、磁石部材３１ａ及び磁石部材４３ａの記載を省略している。
【００７３】
まず、第１の係止機構Ｌ１における動きについて説明する。なお、他方（図２の右手手前側）における第１の係止機構Ｌ１も同様の動きを伴う。
【００７４】
第１の位置において、第１の係止機構Ｌ１では、凹部４４ａの開口付近に第１の突起部３３が位置する（図８Ａ及び図８Ｂ参照）。この段階では、第１の突起部３３に対して第１の被係止部４４（凹部４４ａ）は嵌合していない。
【００７５】
ここで、第１の位置から第２の位置へ透光カバー４０を平行方向にスライドさせることにより、第１の基部３３ａは、凹部４４ａと嵌合する（図９Ａ及び図９Ｂ参照）。つまり、この段階（第２の位置）で、第１の突起部３３は第１の被係止部４４に嵌まっている。また、凹部４４ａの先端は、枠部材３１に対して付勢される（図９Ｂ参照）。よって、第１の被係止部４４が固定された透光カバー４０は、スライド方向（平行方向）以外には動くことができない。そして、凹部４４ａの幅は、第１の頭部３３ｂの径よりも狭い（図７Ｂ参照）。すなわち、第１の係止機構Ｌ１は、透光カバー４０が平行方向と直交する方向（Ｘ方向及びＺ方向）へ着脱することを制限する。また、２つの第１の係止機構Ｌ１において第１の基部３３ａが凹部４４ａと嵌合することにより、ＸＹ平面での回転方向の動きも制限する。
【００７６】
次に、第２の係止機構Ｌ２における動きについて説明する。なお、他方（図２の右手奥側）における第２の係止機構Ｌ２も同様の動きを伴う。
【００７７】
第１の位置において、第２の係止機構Ｌ２では、第１の孔部４６ａ内に第２の突起部３４が位置する（図１０Ａ及び図１０Ｂ参照）。第２の突起部３４の径（第２の頭部３４ｂの径）に対して、第１の孔部４６ａの径は小さい。つまり、この段階では、第２の突起部３４に対して第２の被係止部４５は嵌合していない（図７Ｄ参照）。
【００７８】
ここで、第１の位置から第２の位置へ透光カバー４０を平行方向にスライドさせることにより、第２の突起部３４の第２の基部３４ａは、第２の孔部４６ｂと嵌合する（図１１Ａ及び図１１Ｂ参照）。つまり、この段階（第２の位置）で、第２の突起部３４は第２の被係止部４５に嵌まっている。よって、第２の被係止部４５が固定された透光カバー４０は、スライド方向（平行方向）以外には動くことができない。そして、第２の孔部４６ｂの径は、第２の頭部３４ｂの径よりも小さい（図７Ｄ参照）。すなわち、第２の係止機構Ｌ２は、透光カバー４０が平行方向と直交する方向（Ｘ方向及びＺ方向）へ着脱することを制限する。また、２つの第２の係止機構Ｌ２において第２の基部３４ａが第２の孔部４６ｂと嵌合することにより、ＸＹ平面での回転方向の動きも制限する。
【００７９】
最後に、図８Ｂ、図９Ｂ、図１０Ｂ及び図１１Ｂを参照して、図２における左側の磁石部材３１ａ及び磁石部材４３ａの動きについて説明する。なお、他方（図２の右側）におけるも同様の動きを伴う。ここでは、磁石部材３１ａと磁石部材４３ａの長さが等しい例を示している。
【００８０】
第１の位置において、磁石部材３１ａと磁石部材４３ａとは、一部のみが結合した状態となっている（図８Ｂ及び図１０Ｂ参照）。このように、磁石部材同士の一部のみを結合することで、ユニット取付機構３０に対する透光カバー４０の大まかな位置決めが可能となる。また、第１の係止機構Ｌ１及び第２の係止機構Ｌ２で係止する際、透光カバー４０の撓みの影響を低減することができる。なお、この撓みの影響を低減するためには、磁石部材３１ａ及び磁石部材４３ａが第１の係止機構Ｌ１及び第２の係止機構Ｌ２の近傍にあることが好ましい。
【００８１】
ここで、第１の位置から第２の位置へ透光カバー４０を平行方向にスライドさせることにより、磁石部材４３ａは、磁石部材３１ａに対してＺ方向に結合した状態を保ったまま、Ｙ方向にスライドする。これは、磁石特有の構成であり、引き離す方向（Ｚ方向）の結合力に比べ、スライド方向（Ｙ方向）の結合力が弱いことに起因する。第２の位置において、磁石部材３１ａと磁石部材４３ａとは、全面が結合した状態となっている（図９Ｂ及び図１１Ｂ参照）。よって、ユニット取付機構３０に対する透光カバー４０の位置決めを確実に行い、且つ第１の係止機構Ｌ１及び第２の係止機構Ｌ２による係止をより確実なものとする。
【００８２】
このように、カバー取付機構５０（第１の係止機構Ｌ１、第２の係止機構Ｌ２、磁石部材３１ａ及び磁石部材４３ａ）により、透光カバー４０をユニット取付機構３０に確実に固定することが可能となる。また、ユニット取付機構３０に対して透光カバー４０をスライドさせるだけで透光カバー４０の着脱を簡易に行うことができる。更に、本実施形態におけるカバー取付機構５０及び板状の透光カバー４０により、照明装置１０自体を薄型化できる。従って、構築物に装着する際に、照明装置１０が構築物の表面及び裏面に大きく突出することがない。つまり、構築物をデザインするときの自由度を高めることができる。
【００８３】
なお、本実施形態においては、枠部材３１に設けられた磁石部材３１ｂ、及び周縁部４１に設けられた磁石部材４３ｂは、第２の位置で結合することとなる。これにより、磁石部材３１ａ及び磁石部材４３ａの効果を更に高めることができる。
【００８４】
図１２を参照して、透光カバー４０が固定された状態の照明装置１０が天井面Ｃに装着された状態について説明する。図１２は、天井面Ｃに装着された照明装置１０の断面の概略図である。
【００８５】
本実施形態における透光カバー４０は、ユニット取付機構３０とパネルＰとの境界領域を覆う大きさとなっている。図１２に示すように、透光カバー４０が固定された状態において、透光カバー４０はその厚さ分だけ室内側に突出し、境界領域を覆うように配置されている。従って、透光カバー４０が固定された状態では、室内から照明装置１０とパネルＰとの継ぎ目を認識することができない。よって、外観を保つことが可能となりデザインの自由度が高まる。
【００８６】
また、照明ユニット２０及びユニット取付機構３０を含む厚さは、パネルＰの所定厚さとほぼ等しくなっている。このように、パネルＰと同程度の薄型の照明装置１０を用いることにより、天井の裏側が狭い等、スペースの問題の影響を受け難い。従って、構築物をデザインするときの自由度を高めることができる。
【００８７】
次に、図１３を参照して、透光カバー４０が外された状態の照明装置１０について説明する。図１３は、透光カバー４０を外した状態を示す照明装置１０の斜視図である。透光カバー４０を外すことにより、枠部材３１、及び枠部材３１に固定された照明ユニット２０が室内側に現れる。たとえば、先に述べたように、照明ユニット２０とユニット取付機構３０とを連結するネジＳ１は、照明ユニット２０の下側から締着されている。従って、透光カバー４０を取り外すだけで照明ユニット２０等に対するメンテナンスが可能となる。すなわち、本実施形態のカバー取付機構５０によれば、照明装置１０に対する作業効率がよくなる。
【００８８】
［変形例１］
上記実施形態では、ユニット取付機構３０側に第１の突起部３３、第２の突起部３４を設け、透光カバー４０側に第１の被係止部４４、第２の被係止部４５を設ける構成について述べたがこれに限られない。すなわち、ユニット取付機構３０側に第１の被係止部４４、第２の被係止部４５を設け、透光カバー４０側に第１の突起部３３、第２の突起部３４を設けることでもよい。或いは、ユニット取付機構３０ではなく、照明ユニット２０に第１の突起部３３及び第２の突起部３４（または第１の被係止部４４及び第２の被係止部４５）を設けることでもよい。
【００８９】
［変形例２］
また、磁石部材（第１磁石部材及び第２磁石部材）を極性の異なる磁石が複数連結された構成としてもよい。図１４Ａ及び図１４Ｂは、磁石部材３１ａ及び磁石部材４３ａをＸ方向からみた模式図である。図１４Ａは透光カバー４０が第１の位置にある場合を示し、図１４Ｂは、透光カバー４０が第２の位置にある場合を示す。また、図１４Ａに示す矢印Ｗがスライド方向である。
【００９０】
磁石部材３１ａは、磁石Ｍ１（Ｎ）、磁石Ｍ２（Ｓ）、磁石Ｍ３（Ｎ）、磁石Ｍ４（Ｓ）からなる。一方、磁石部材４３ａは、磁石ｍ１（Ｓ）、磁石ｍ２（Ｎ）、磁石ｍ３（Ｓ）、磁石ｍ４（Ｎ）からなる。
【００９１】
第１の位置にある場合、磁石Ｍ１と磁石ｍ３、磁石Ｍ２と磁石ｍ４、磁石Ｍ３と磁石ｍ５とがぞれぞれ磁力により結合しているとする。
【００９２】
ここで、透光カバー４０をユニット取付機構３０に対してスライドさせ、第２の位置に配置した場合、磁石Ｍ１と磁石ｍ１、磁石Ｍ２と磁石ｍ２、磁石Ｍ３と磁石ｍ３、磁石Ｍ４と磁石ｍ４とがそれぞれ磁力により結合する。つまり、たとえば、磁石ｍ３は、磁石Ｍ１の隣りにある磁石Ｍ２と極性が同じで反発しあうため、磁石Ｍ２を超えて、異なる極性の磁石Ｍ３と結合する。このような磁石の動きに伴い、クリック感が生じる。従って、作業者は、透光カバー４０がユニット取付機構３０に嵌まったかどうかを把握し易くなる。
【００９３】
［変形例３］
また、上記実施形態では、照明装置１０が装着される構築物の表面の一例として天井面について説明したが、構築物の表面としては、天井面に限らず、壁面、床面であっても良い。
【符号の説明】
【００９４】
１０  照明装置
１１  保持部材
１１ａ  辺部
１１ｂ  角部
１１ｃ  上壁部
１１ｄ  下壁部
１１ｅ  底壁
１１ｆ  被固定部
１２  発光素子
１３  導光板
１４  光反射シート
２０  照明ユニット
３０  ユニット取付機構
３１  枠部材
３１ａ  磁石部材（第１磁石部材）
３１ｂ  磁石部材
３２  コーナー部材
３２ａ、３２ｂ  孔部
３３  第１の突起部
３３ａ  第１の基部
３３ｂ  第１の頭部
３４  第２の突起部
３４ａ  第２の基部
３４ｂ  第２の頭部
４０  透光カバー
４１  周縁部
４２  中央部
４３ａ  磁石部材（第２磁石部材）
４３ｂ  磁石部材
４４  第１の被係止部
４４ａ  凹部
４５  第２の被係止部
４６  係止用孔部
４６ａ  第１の孔部
４６ｂ  第２の孔部
４６ｃ  経路
５０  カバー取付機構
Ｆ  ネジ
Ｐ  パネル
【図１】
2014007015.tif 000003
【図２】
2014007015.tif 000004
【図３Ａ】
2014007015.tif 000005
【図３Ｂ】
2014007015.tif 000006
【図４Ａ】
2014007015.tif 000007
【図４Ｂ】
2014007015.tif 000008
【図５Ａ】
2014007015.tif 000009
【図５Ｂ】
2014007015.tif 000010
【図６】
2014007015.tif 000011
【図７Ａ】
2014007015.tif 000012
【図７Ｂ】
2014007015.tif 000013
【図７Ｃ】
2014007015.tif 000014
【図７Ｄ】
2014007015.tif 000015
【図７Ｅ】
2014007015.tif 000016
【図８Ａ】
2014007015.tif 000017
【図８Ｂ】
2014007015.tif 000018
【図９Ａ】
2014007015.tif 000019
【図９Ｂ】
2014007015.tif 000020
【図１０Ａ】
2014007015.tif 000021
【図１０Ｂ】
2014007015.tif 000022
【図１１Ａ】
2014007015.tif 000023
【図１１Ｂ】
2014007015.tif 000024
【図１２】
2014007015.tif 000025
【図１３】
2014007015.tif 000026
【図１４Ａ】
2014007015.tif 000027
【図１４Ｂ】
2014007015.tif 000028